(57)【要約】【課題】多数の単位家電機器を単一システムに統合し、各単位家電機器を同時に又は個別に使用可能にして、同時使用による電気的過負荷の問題を解決する複合家電機器を提供する。【解決手段】二つ以上の単位家電機器が単一電源供給部３０８を共有し、単一制御部３０２により制御される。二つ以上の単位家電機器を同時に使用可能にする同時動作モードと、二つ以上の単位家電機器の中で一つの単位家電機器のみを使用可能にする個別動作モードとを有する。また、同時動作モードと個別動作モードを設定するためのモード設定キー３３２を有する。電源供給部３０８は電源遮断機３０６を介して電源を受け、この電源遮断機は、過負荷の際、開放され、電源の供給を遮断する。【選択図】　図３
2004101165.tif 000002
【特許請求の範囲】
【請求項１】
単一システムとして複合家電機器に一体化された二つ以上の単位家電機器と、
前記複合家電機器の二つ以上の単位家電機器に共有される単一電源供給部と
を含むことを特徴とする複合家電機器。
【請求項２】
前記複合家電機器は前記二つ以上の単位家電機器を制御する単一制御部をさらに含むことを特徴とする請求項１に記載の複合家電機器。
【請求項３】
前記複合家電機器は、前記二つ以上の単位家電機器が同時動作モードで同時に動作できるようにし、前記二つ以上の単位家電機器の一つのみが個別動作モードで動作できるようにすることを特徴とする請求項１に記載の複合家電機器。
【請求項４】
前記複合家電機器は、前記同時動作モード又は個別動作モードを設定するモード設定部をさらに含むことを特徴とする請求項３に記載の複合家電機器。
【請求項５】
前記複合家電機器は、電気的に開くと、前記単一電源供給部への電源供給を遮断して電気的過負荷を防止する電源遮断機をさらに含むことを特徴とする請求項１に記載の複合家電機器。
【請求項６】
前記二つ以上の単位家電機器は、
下部で発生するガスを前記複合家電機器の外部へ排気させる換気モータ、高周波を発生させて飲食物を調理するマグネトロン、飲食物が載せられるトレイ、及び前記トレイを回転させるトレイモータを有する電子レンジと、
トースターと、
コーヒーメーカーと
を含むことを特徴とする請求項１に記載の複合家電機器。
【請求項７】
前記複合家電機器は、
前記複合家電機器の諸般動作を制御する制御部と、
前記複合家電機器の情報を表示する表示部と、
前記表示部を駆動させる表示部駆動部と、
前記換気モータを駆動させる換気モータ駆動部と、
前記マグネトロンを駆動させるマグネトロン駆動部と、
前記トレイモータを駆動させるトレイ駆動部と、
前記コーヒーメーカーを駆動させるコーヒーメーカー駆動部と、
前記トースターを駆動させるトースター駆動部とをさらに含み、
前記単一電源供給部、前記表示部駆動部、前記換気モータ駆動部、前記マグネトロン駆動部、前記トレイモータ駆動部、前記コーヒーメーカー駆動部及び前記トースター駆動部は前記制御部に電気的に連結されることを特徴とする請求項６に記載の複合家電機器。
【請求項８】
前記単一電源供給部は、前記電源遮断機の定格容量によって、前記二つ以上の単位家電機器のいずれか１つ以上に電源を供給して動作させることを特徴とする請求項５に記載の複合家電機器。
【請求項９】
単一システムとして複合家電機器に一体化された二つ以上の単位家電機器と、
前記複合家電機器の二つ以上の単位家電機器に共有される単一電源供給部と、
前記単一電源供給部への電源供給を制御する電源遮断機と
を含み、
前記単一電源供給部は、前記電源遮断機の定格容量によって、前記二つ以上の単位家電機器の一つ以上に電源を供給することを特徴とする複合家電機器。
【請求項１０】
前記複合家電機器は、前記二つ以上の単位家電機器を制御する単一制御部をさらに含むことを特徴とする請求項９に記載の複合家電機器。
【請求項１１】
前記単位家電機器は、高周波を発生させて飲食物を調理する電子レンジを含むことを特徴とする請求項９に記載の複合家電機器。
【請求項１２】
前記電子レンジは、その下部から発生したガスを前記複合家電機器の外部へ排気させる排気部を含むことを特徴とする請求項１１に記載の複合家電機器。
【請求項１３】
前記複合家電機器は、前記二つ以上の単位家電機器が同時動作モードで同時に動作できるようにし、前記二つ以上の単位家電機器の一つのみが個別動作モードで動作できるようにすることを特徴とする請求項９に記載の複合家電機器。
【請求項１４】
前記複合家電機器は、前記同時動作モード又は個別動作モードを設定するモード設定部をさらに含むことを特徴とする請求項１３に記載の複合家電機器。
【請求項１５】
前記複合家電機器は、電気的に開くと、前記単一電源供給部への電源供給を遮断して電気的過負荷を防止する電源遮断機をさらに含むことを特徴とする請求項９に記載の複合家電機器。
【請求項１６】
単一電源供給部と、前記単一電源供給部に電源を供給する電源遮断部と、前記単一電源供給部を共有する二つ以上の単位家電機器と、前記二つ以上の単位家電機器を制御する単一制御部とを有する複合家電機器の制御方法において、
前記複合家電機器の初期動作モードを同時動作モードと設定する段階と、
前記二つ以上の単位家電機器が同時に動作する場合、前記電源遮断機が開くと、前記複合家電機器の動作モードを前記同時動作モードから個別動作モードに転換する段階と
を含むことを特徴とする複合家電機器の制御方法。
【請求項１７】
前記同時動作モードは前記二つ以上の単位家電機器が同時に動作するようにし、前記個別動作モードは前記二つ以上の単位家電機器が個別に動作するようにすることを特徴とする請求項１６に記載の複合家電機器の制御方法。
【請求項１８】
前記方法は、前記複合家電機器の現在の動作モードを表示する段階をさらに含むことを特徴とする請求項１７に記載の複合家電機器の制御方法。
【請求項１９】
単一電源供給部と、前記単一電源供給部に電源を供給する電源遮断部と、前記単一電源供給部を共有する二つ以上の単位家電機器と、前記二つ以上の単位家電機器を制御する単一制御部とを有する複合家電機器の制御方法において、
前記複合家電機器の初期動作モードを同時動作モードと設定する段階と、
前記二つ以上の単位家電機器のいずれか一つを動作させ、前記動作する単位家電機器の数を一つずつ増加させながら、前記電源遮断機が電気的に開くかを判断する段階と、
前記電源遮断機が電気的に開くと、同時に動作する前記単位家電機器の数によって、同時動作モード、部分同時動作モード及び個別動作モードのいずれか一つを選択する段階と
を含むことを特徴とする複合家電機器の制御方法。
【請求項２０】
前記方法は、ｎ個の単位家電機器が同時に動作する場合、前記電源遮断機が電気的に開くと、ｎ−１個の単位家電機器が同時に動作する部分同時動作モードを設定する段階をさらに含むことを特徴とする請求項１９に記載の複合家電機器の制御方法。
【請求項２１】
前記方法は、前記二つ以上の単位家電機器が同時に動作すると、消費電力量の降順に前記二つ以上の単位家電機器を動作させる段階をさらに含むことを特徴とする請求項１９に記載の複合家電機器の制御方法。
【請求項２２】
前記方法は、前記二つ以上の単位家電機器が同時に動作すると、消費電力量の昇順に前記二つ以上の単位家電機器を動作させる段階をさらに含むことを特徴とする請求項１９に記載の複合家電機器の制御方法。
【請求項２３】
単一電源供給部と、前記単一電源供給部に電源を供給する電源遮断部と、前記単一電源供給部を共有する二つ以上の単位家電機器と、前記二つ以上の単位家電機器を制御する単一制御部とを有する複合家電機器の設置方法において、
前記複合家電機器を設置し、前記複合家電機器の初期動作モードを同時動作モードと設定する段階と、
前記二つ以上の単位家電機器のいずれか一つを動作させ、前記動作する単位家電機器の数を一つずつ増加させながら、前記電源遮断機が電気的に開くかを判断する段階と、
前記電源遮断機が電気的に開くと、同時に動作する前記単位家電機器の数によって、同時動作モード、部分同時動作モード及び個別動作モードのいずれか一つを選択する段階と
を含むことを特徴とする複合家電機器の設置方法。
【請求項２４】
前記方法は、ｎ個の単位家電機器が同時に動作する場合、前記電源遮断機が電気的に開くと、ｎ−１個の単位家電機器が同時に動作する部分同時動作モードを設定する段階をさらに含むことを特徴とする請求項２３に記載の複合家電機器の設置方法。
【請求項２５】
前記方法は、前記二つ以上の単位家電機器が同時に動作すると、消費電力量の降順に前記二つ以上の単位家電機器を動作させる段階をさらに含むことを特徴とする請求項２３に記載の複合家電機器の設置方法。
【請求項２６】
前記方法は、前記二つ以上の単位家電機器が同時に動作すると、消費電力量の昇順に前記二つ以上の単位家電機器を動作させる段階をさらに含むことを特徴とする請求項２３に記載の複合家電機器の設置方法。
【発明の詳細な説明】
【０００１】
【発明の属する技術分野】
本発明は家電機器に関し、より詳細には、電子レンジ、トースター、コーヒーメーカーなどのような家電機器が単一システムに一体化されている複合家電機器に関する。
【０００２】
【従来の技術】
一般に、家庭内で用いられる家電機器には、電子レンジ、トースター、コーヒーメーカーなどのような厨房用家電機器と、ステレオシステム、ＶＴＲ、ＤＶＤプレイヤーなどのような音響／映像機器がある。このうち、厨房用家電機器は主に厨房空間内で使用される類似目的の家電機器である。このような厨房用家電機器は厨房空間内で使用されるが、それぞれの厨房用家電機器は自体的に制御部（マイコン）及び電源供給部を内蔵した個別システムである。
【０００３】
図１はこのような従来の厨房用家電機器の使用例を示す。同図に示すように、従来の厨房用家電機器は、電気オーブン又はガスオーブン１０４の上方にフード兼用の壁掛け型電子レンジ１０２を取り付けて使用し、電気オーブン１０４の左右流し台上にトースター１０８又はコーヒーメーカー１１０などを載せて使用する。
【０００４】
このように、調理という類似目的の厨房用家電機器が厨房空間内の多数箇所に位置するため、使用者の動線が長くなり、調理に長い時間がかかり、労働量も多くなって使用者が疲労し易い。
【０００５】
【発明が解決しようとする課題】
したがって、本発明はこのような従来の問題点に鑑みてなされたもので、その目的は、家庭内の制限領域内で使われる類似目的の家電機器を単一システムに統合した複合家電機器を提供することにある。
【０００６】
また、本発明の他の目的は、複合家電機器の各単位家電機器を同時に又は個別に使用可能にして、同時使用による電気的過負荷の問題を解決する複合家電機器を提供することにある。
【０００７】
【課題を解決するための手段】
前記のような目的を達成するため、本発明は、単一システムとして複合家電機器に一体化された二つ以上の単位家電機器と、前記複合家電機器の二つ以上の単位家電機器に共有される単一電源供給部とを含む複合家電機器を提供する。
【０００８】
前記複合家電機器は前記二つ以上の単位家電機器を制御する単一制御部をさらに含む。
【０００９】
前記複合家電機器は、前記二つ以上の単位家電機器が同時動作モードで同時に動作できるようにし、前記二つ以上の単位家電機器の一つのみが個別動作モードで動作できるようにする。
【００１０】
前記複合家電機器は、前記同時動作モード又は個別動作モードを設定するモード設定部をさらに含む。
【００１１】
前記複合家電機器は、電気的に開くと、前記単一電源供給部への電源供給を遮断して電気的過負荷を防止する電源遮断機をさらに含む。
【００１２】
【発明の実施の形態】
以下、本発明による複合家電機器の好ましい実施形態を図２ないし図５に基づいて詳細に説明する。
【００１３】
図２は本発明による複合家電機器の実施形態を示す斜視図である。同図に示すように、本発明による複合家電機器２００は、例えば電気又はガスオーブン２０４の上部に取り付けて使用する。本発明による複合家電機器２００は、フード兼用壁掛け型電子レンジ２０２、トースター２０８、コーヒーメーカー２１０などの家電機器を単一システムに統合したものである。ここで、単一システムとは、単一電源供給部を共有し、単一制御部により制御されるシステムを意味する。
【００１４】
フード兼用の壁掛け型電子レンジ２０２の内部には換気装置（図示せず）が設けられるので、電気又はガスオーブン２０４の使用時に発生する水蒸気、匂い、煙などを外部へ排出させる。また、壁掛け型電子レンジ２０２の内部には、前記換気装置を駆動するための換気モータ（図示せず）が設けられる。この換気モータも本発明による複合家電機器２００の単一電源供給部を共有し、単一制御部により制御される。壁掛け型電子レンジ２０２には入力部２１２が設けられ、この入力部２１２を介して、調理に必要な設定条件を入力する。入力部２１２により設定された値と多様な調理情報は表示部２１４に視覚的に表示される。
【００１５】
図３は図２に示す本発明による複合家電機器のブロック図である。同図に示すように、複合家電機器２００の諸般動作を制御する制御部３０２の入力ポートには入力部２１２と電源供給部３０８が連結される。入力部２１２には、本発明による複合家電機器２００の同時／個別動作モードを設定するモード設定キー３３２が設けられる。電源供給部３０８の入力側は、例えば家庭内に設置される電源遮断機３０６に連結される。すなわち、電源供給部３０８は電源遮断機３０６を介して電源を受け、本発明による複合家電機器に必要な形態（ＡＣ又はＤＣ、電圧）に変換して複合家電機器の各単位家電機器に供給する。
【００１６】
制御部３０２の出力ポートには、表示部駆動部３１０、換気モータ駆動部３１４、マグネトロン駆動部３１８、トレイモータ駆動部３２２、コーヒーメーカー駆動部３２６、トースター駆動部３３０が連結され、これらはそれぞれ表示部２１４、換気モータ３１６、マグネトロン３２０、トレイモータ３２４、コーヒーメーカー２１０、トースター２０８を駆動させる。このうち、電子レンジ２０２に設けられるマグネトロン３２０は電子波を発生させて飲食物を加熱するためのものである。トレイモータ３２４は電子レンジ２０２のトレイを回転させるためのものである。
【００１７】
このような複合家電機器２００の単位家電機器の同時動作において、それぞれの単位家電機器をみんな同時に使用するときに消費される電力が定格以上であるとき、過負荷を防ぐため、電源遮断機３０６が電気的に開き、電源の供給が遮断される。仮に、電源供給量が十分であって電源遮断機３０６の定格容量も大きい家庭においては、複合家電機器２００の単位家電機器の全てを同時に使用しても問題はない。しかし、電源供給量が足りない家庭においては、電源遮断機３０６の定格容量も小さいため、複合家電機器２００の単位家電機器の全てを使用可能にし、反対に電源遮断機３０６の定格容量が足りない場合には、複合家電機器２００を構成する単位家電機器を個別に使用可能にすることにより、電源供給量が足りない場合にも、本発明による複合家電機器２００の活用度を非常に高めることができる。
【００１８】
これを具現するためには、製品の設置後、実際に製品を使用するに先立ち、電源遮断機３０６の定格容量の大小による複合家電機器２００の同時／個別動作モードを設定する過程が必要である。同時／個別動作モードの設定は、製造会社から派遣された製品設置技師が製品設置後に行うことが好ましいが、製品を実際に用いる使用者が直接設定することもできる。
【００１９】
図４は、図３に示す本発明による複合家電機器において、電源遮断機の容量の大小による同時／個別動作モードの設定方法のフローチャートである。本発明による複合家電機器２００の同時／個別動作モードを設定するに際して、電源供給量の代わりに電源遮断機の容量を用いたことは、実際に複合家電機器２００の電気的過負荷が発生した際、電源遮断機により電源の供給が中断され、家電機器の全てを使用することができないからである。
【００２０】
図４に示すように、本発明による複合家電機器２００の初期モードを“同時動作モード”と設定し（段階４０２）、製品の設置後、それぞれの家電機器を同時に動作させる（段階４０４）。この状態で、電源遮断機３０６が電気的に開くかを判断する（段階４０６）。電源遮断機３０６が電気的に開くと、全ての家電機器の同時使用ができない場合であるので、複合家電機器２００を再度オンにし、動作モードを“個別動作モード”に変更する（段階４０８）。変更された動作モードは表示部２１４に表示されるので、使用者はこれから“個別動作モード”であることが分かる（段階４１０）。電源遮断機３０６の開放判断段階４０６で、電源遮断機３０６が電気的に開かないと、電源遮断機３０６の定格容量が十分に大きい状態である。この場合、複合家電機器２００を再度オンにすると、現在の設定モードである“同時動作モード”が表示部２１４に表示される（段階４１２）。
【００２１】
このように、電源遮断機３０６の定格容量の大小によって同時／個別動作モードの一つを設定する方法の他に、電源遮断機の定格容量によって一部単位家電機器のみであっても同時に使用可能にする部分同時動作モードを付加すると、本発明による複合家電機器の使用効率をさらに高めることができる。
【００２２】
図５は、図３に示す複合家電機器において、電源遮断機の容量による同時／部分同時／個別動作モードの設定方法をフローチャートである。図５の説明において、複合家電機器２００を構成するそれぞれの単位家電機器の電力使用量の大きさは、“電子レンジ２０２＞換気モータ３１６＞コーヒーメーカー２１０＞トースター２０８”の順である。
【００２３】
図５に示すように、本発明による複合家電機器２００の初期モードを“同時動作モード”に設定し（段階５０２）、製品を、例えば厨房空間に設置した後（段階５０４）、電子レンジ２０２と換気モータ３１６を駆動させる（段階５０６、５０８）。この状態で、電源遮断機３０６が電気的に開くかを判断する（段階５１０）。電源遮断機３０６が電気的に開くと、全ての家電機器はもちろん、電子レンジ２０２と換気モータ３１６さえ同時に使用できない場合である。したがって、複合家電機器２００をオンにし、動作モードを“個別動作モード”に変更する（段階５１２）。“個別動作モード”においては、複合家電機器２００を構成する単位家電機器を同時に二つ以上使用することができず、常に単一の家電機器のみを使用することができる。変更された動作モードは表示部２１４に表示されるので、使用者はこれにより“個別動作モード”であることが分かる（段階５２８）。
【００２４】
電源遮断機３０６の開放判断段階５１０において、電源遮断機３０６が開かないと、コーヒーメーカー２１０をさらに駆動させた後（段階５１４）、電源遮断機３０６が電気的に開くかを判断する（段階５１６）。この状態で、電源遮断機３０６が電気的に開くと、現在の電源遮断機３０６の定格容量が、電子レンジ２０２と換気モータ３１６のみを同時に使用可能な大きさに制限される場合である。
【００２５】
したがって、複合家電機器２００を再度オンにし、動作モードを同時動作モードから部分同時動作モード（電子レンジ＋換気モータ）に変更する（段階５１８）。部分同時動作モード（電子レンジ＋換気モータ）においては、電子レンジ２０２と換気モータ３１６のみを同時に使用することができ、残りの家電機器は電子レンジ２０２及び換気モータ３１６との同時使用が不可能である。変更された動作モードは表示部２１４に表示されるので、使用者はこれから部分同時動作モード（電子レンジ＋換気モータ）であることが分かる（段階５２８）。
【００２６】
コーヒーメーカー２１０の駆動後、段階５１６で電源遮断機３０６が電気的に開かないと、電源遮断機３０６の定格容量が非常に大きいと判断する。したがって、トースター２０８をさらに駆動させた後（段階５２０）、電源遮断機３０６が電気的に開くかを判断する（段階５２２）。この状態で、電源遮断部３０６が開くと、現在の電源遮断機３０６の定格容量によっては電子レンジ２０２、換気モータ３１６及びコーヒーメーカー２１０のみを駆動することができることを意味する。したがって、複合家電機器２００を再度オンにし、動作モードを同時動作モードから部分同時動作モード（電子レンジ＋換気モータ＋コーヒーメーカー）に変更する（段階５２４）。部分同時動作モード（電子レンジ＋換気モータ＋コーヒーメーカー）においては、電子レンジ２０２、換気モータ３１６及びコーヒーメーカー２１０のみを同時に使用することができる。この際、複合家電機器２００の残りの単位家電機器、例えばトースター２０８は電子レンジ２０２、換気モータ３１６及びコーヒーメーカー２１０と一緒に使用することができない。変更された動作モードは表示部２１４に表示されるので、使用者はこれから部分同時動作モード（電子レンジ＋換気モータ＋コーヒーメーカー）であることが分かる（段階５２８）。
【００２７】
トースター２０８の駆動後、段階５２２で電源遮断機３０６が電気的に開いていないと、電源遮断機３０６の定格容量が全ての単位家電機器を同時に動作させ得るくらいに非常に大きいであると判断する。この場合、複合家電機器２００を構成する全ての単位家電機器を同時に使用することができる。変更された動作モードは表示部２１４に表示されるので、使用者はこれから同時動作モードであることが分かる（段階５２８）。
【００２８】
【発明の効果】
以上説明したように、本発明による複合家電機器は、家庭内の制限された領域内で使用される類似目的の家電機器が単一システムに統合されているので、使用者の便宜を図る。また、このような複合家電機器の各単位家電機器を、電源遮断機の定格容量、つまり電源供給量に応じて同時に、又は部分同時に、又は個別に使用できるようにすることにより、同時使用による過負荷の問題を解決する。
【図面の簡単な説明】
【図１】従来の厨房家電機器の使用例を示す斜視図である。
【図２】本発明による複合家電機器の斜視図である。
【図３】図２に示す複合家電機器のブロック図である。
【図４】図３に示す複合家電機器の電力遮断機の定格容量によって同時又は個別動作モードを設定する方法を示すフローチャートである。
【図５】図３に示す複合家電機器の電力遮断機の定格容量によって同時、又は部分同時又は個別動作モードを設定する方法を示すフローチャートである。
【符号の説明】
２００　複合家電機器
２０２　電子レンジ
２０４　電気又はガスオーブン
２０８　トースター
２１０　コーヒーメーカー
２１２　入力部
２１４　表示部
３０２　制御部
３０６　電源遮断機
３０８　電源供給部
３１０　表示部駆動部
３１４　換気モータ駆動部
３１６　換気モータ
３１８　マグネトロン駆動部
３２０　マグネトロン
３２２　トレイモータ駆動部
３２４　トレイモータ
３２６　コーヒーメーカー駆動部
３３０　トースター駆動部
３３２　モード設定キー
【図１】
2004101165.tif 000003
【図２】
2004101165.tif 000004
【図３】
2004101165.tif 000005
【図４】
2004101165.tif 000006
【図５】
2004101165.tif 000007